(57)【特許請求の範囲】
【請求項１】
床下地の上に、
上面に配管収容用の溝が設けられた基板、該溝に収容された温調用配管、及び、該基板の上面に配置された均熱シートを有し、該基板は、該溝が該基板の下面に露呈する厚さとなっており、該基板の下面に、該溝を塞ぐ裏張りシートが設けられている温調マットと、
該温調用配管が接続された、該温調用配管に熱媒体を供給するための熱媒体供給部材と
が設置された温調床であって、
該熱媒体供給部材は、その上面が該温調マットの上面と略同レベルか又はそれよりも下位となるように設置されており、
床下地に凹所が設けられており、該熱媒体供給部材は、該凹所内に設置されており、
床下地に開口が設けられており、
該開口に、該熱媒体供給部材を支持するための支持部材が設置されており、該支持部材の上面に該凹所が設けられており、
該凹所内の底面は床下地の上面よりも下位となっており、
該熱媒体供給部材は、該凹所内に設置された状態において、その上面が該支持部材の上面と略同レベルか又はそれよりも下位となっており、
該支持部材の上面は、前記温調マットの上面と略同レベルとなっていることを特徴とする温調床。
【請求項２】
請求項１において、前記支持部材の上部から側方へ向って、該支持部材の上面と略面一状にフランジ部が突設されており、
該フランジ部の厚さは前記基板の厚さと略同厚さとなっており、
前記凹所の底面は該フランジ部の下面よりも下位となっており、
該フランジ部が前記開口の周囲の床下地の上面に重なっていることを特徴とする温調床。
【請求項３】
請求項１又は２において、前記凹所を上方から覆った蓋が設けられており、
該蓋の上面は、前記温調マットの上面と略同レベルとなっていることを特徴とする温調床。
【請求項４】
請求項１ないし３のいずれか１項において、前記熱媒体供給部材の上部から側方へ向って、該熱媒体給水部材の上面と略面一状に鍔部が突設されており、
該鍔部が前記支持部材の上面に載荷されていることを特徴とする温調床。
【請求項５】
請求項４において、該支持部材の上面に、該鍔部が係合した、周囲よりも低い低段部が設けられており、
該鍔部は、該低段部に係合した状態において、その上面が該支持部材の上面と略同レベルか又はそれよりも下位となっていることを特徴とする温調床。
【発明の詳細な説明】
【技術分野】
【０００１】
本発明は、床下地の上に、温調マットと、この温調マットの温調配管に熱媒体を供給するための熱媒体供給部材を設置してなる温調床に関する。
【背景技術】
【０００２】
床暖房構造として、板状の基板の上面の溝に温水配管を引き回した温水床暖房が周知である。
【０００３】
第３０図は特開２００２−２９５８５３号に記載の床暖房パネルを示す断面図である。第３０図において、床暖房パネルは、基材１５０に配設された温水管１５１に温水を流すことにより、温水管１５１の外周上端１５１Ａから均一材１５２に熱を伝え、伝わった熱を均一材１５２の全域に広げ、均一材１５２の全域に伝わった熱で床仕上材１５３を暖めるように構成されている。
【０００４】
この床暖房パネルは、温水管１５１が外周上端１５１Ａしか均一材１５２に接触していないので、温水管１５１の熱を均一材１５２に効率よく伝えることができない。この不具合を解消する床暖房パネルとして、第３１図（ａ），（ｂ）に示す床暖房パネル１５５が知られている。床暖房パネル１５５は基材１５６と温水管１５７との間に伝熱シート１５８が介在されている。
【０００５】
この伝熱シート１５８は、温水管１５７と共に基材１５６の配管収容用の溝１５６Ａ内に収容され、溝１５６Ａ内において温水管１５７の下側外周面１５７Ａを取り巻くようにして、該温水管１５７に接触している。この伝熱シート１５８の両端側は、溝１５６Ａ外に張り出して基板１５６の上面に沿って延在し、均一材１５９の下面に接触している。
【０００６】
この床暖房パネル１５５にあっては、均一材１５９に直に接触した温水管１５７の外周上端１５７Ｂからだけでなく、温水管１５７の下側外周面１５７Ａからも、伝熱シート１５８を介して均一材１５９に熱が伝えられるので、効率よく床仕上材１６０を暖めることができる。
【特許文献１】特開２００２−２９５８５３号
【発明の開示】
【発明が解決しようとする課題】
【０００７】
上記従来の床暖房マットでは、基材１５０の厚さが大きいために、部屋の床レベルが高くなる。そのため、温調マットを敷設していない部屋との床レベル差が大きくなる。
【０００８】
本発明は、上記従来の問題点を解決し、厚さの小さい温調マットを用いた温調床を提供することを目的とする。
【課題を解決するための手段】
【００２６】
請求項１の温調床は、床下地の上に、上面に配管収容用の溝が設けられた基板、該溝に収容された温調用配管、及び、該基板の上面に配置された均熱シートを有し、該基板は、該溝が該基板の下面に露呈する厚さとなっており、該基板の下面に、該溝を塞ぐ裏張りシートが設けられている温調マットと、該温調用配管が接続された、該温調用配管に熱媒体を供給するための熱媒体供給部材とが設置された温調床であって、該熱媒体供給部材は、その上面が該温調マットの上面と略同レベルか又はそれよりも下位となるように設置されており、床下地に凹所が設けられており、該熱媒体供給部材は、該凹所内に設置されており、床下地に開口が設けられており、該開口に、該熱媒体供給部材を支持するための支持部材が設置されており、該支持部材の上面に該凹所が設けられており、該凹所内の底面は床下地の上面よりも下位となっており、該熱媒体供給部材は、該凹所内に設置された状態において、その上面が該支持部材の上面と略同レベルか又はそれよりも下位となっており、該支持部材の上面は、前記温調マットの上面と略同レベルとなっていることを特徴とするものである。
【００２９】
請求項２の温調床は、請求項１において、前記支持部材の上部から側方へ向って、該支持部材の上面と略面一状にフランジ部が突設されており、該フランジ部の厚さは前記基板の厚さと略同厚さとなっており、前記凹所の底面は該フランジ部の下面よりも下位となっており、該フランジ部が前記開口の周囲の床下地の上面に重なっていることを特徴とするものである。
【００３０】
請求項３の温調床は、請求項１又は２において、前記凹所を上方から覆った蓋が設けられており、該蓋の上面は、前記温調マットの上面と略同レベルとなっていることを特徴とするものである。
【００３１】
請求項４の温調床は、請求項１ないし３のいずれか１項において、前記熱媒体供給部材の上部から側方へ向って、該熱媒体給水部材の上面と略面一状に鍔部が突設されており、該鍔部が前記支持部材の上面に載荷されていることを特徴とするものである。
【００３２】
請求項５の温調床は、請求項４において、該支持部材の上面に、該鍔部が係合した、周囲よりも低い低段部が設けられており、該鍔部は、該低段部に係合した状態において、その上面が該支持部材の上面と略同レベルか又はそれよりも下位となっていることを特徴とするものである。
【発明の効果】
【００３３】
本発明の温調床に用いられる温調マットでは、溝が下面に露呈する程基板厚さが小さく、これにより温調マットの厚さが小さいものとなっている。従って、この温調マットを敷設した床のレベルと、温調マットを敷設していない部屋の床レベルとの差が小さいものとなる。また、温調マットの上に仕上げ材を設ける場合、温調マットの厚さが小さい分だけ、仕上げ材として厚さの大きいものを用いても、床のレベルが過度に高くなることが防止される。
【００３４】
本発明では、溝を裏から塞ぐ裏張りシートを設けているので、基板の強度も確保される。また、裏張りシートにより、下面側への放熱も抑制される。
【００３５】
本発明では、基板同士の間に小根太を配置することにより、温調マットの強度を高めることができる。この小根太に補強材を設けることにより、温調マットの強度を高めることができる。
【００３６】
本発明では、小根太の厚さは、各基板の厚さと同等か又はそれよりも所定厚さまで小さい厚さであることが好ましい。このように構成することにより、小根太が基板の上面から突出しないものとなる。また、一般的に、温調マット上に仕上げ床材を敷設する場合には、小根太の上面に接着剤を塗布して小根太に仕上げ床材を接着するが、小根太の厚さを基板の厚さよりも所定厚さまで小さくすることにより、この接着剤の厚みによって仕上げ床材が基板の上面から浮き上がることが防止される。
【００３７】
本発明においては、各基板と小根太の上面に跨って均熱シートが貼着される場合、該小根太上において均熱シートを部分的に不存在とし、小根太の上面を部分的に露出させるように構成することが好ましい。この場合、温調マット上に敷設された仕上げ床材を小根太に直接的に接着することができるので、仕上げ床材を強固に固定することができる。
【００３８】
本発明では、配管収容用の溝の断面形状を略Ｕ字形とすることにより、下面に露呈する溝幅を小さくし、下面への放熱量を減少させることができる。
【００３９】
この溝の断面形状を方形とした場合には、溝付きの基板の成形が容易なものとなる。
【００４０】
床下地が合板等により構成されている場合には、床下地の表面がささくれて、鋭く尖った棘が突き出していることがある。そのため、本発明では、少なくとも裏貼りシートの下側に、耐貫通性を有する貫通防止層を設けることが好ましい。このように構成することにより、例えば床下地の表面から棘が突き出ていても、この棘が裏貼りシートを貫通して温調用配管に突き刺さることが防止される。
【００４１】
この貫通防止層としては、合成樹脂製の単層又は複層シートが好適である。
【００４２】
なお、ワックスが塗布された既存床上に温調マットを敷設して温調床を構築した場合には、この温調マットからの熱により既存床表面のワックスが溶け出すおそれがある。この場合、温調床上を人が歩いたときに、この溶け出したワックスにより温調マットが既存床上を滑って音鳴りすることがある。
【００４３】
そのため、本発明では、貫通防止層の下側に紙又は不織布よりなるワックス吸収層を設けてもよい。このように構成することにより、既存床表面のワックスが溶け出しても、このワックスがワックス吸収層によって吸収されるため、温調マットが滑って音鳴りすることが防止ないし抑制される。
【００４４】
本発明では、貫通防止層自体を紙又は不織布により構成し、この貫通防止層自体がワックスを吸収しうるように構成してもよい。
【００４５】
本発明の温調床は、床下地の上に、かかる温調マットと、温調用配管が接続された、該温調用配管に熱媒体を供給するための熱媒体供給部材とを設置してなる。本発明では、熱媒体供給部材の上面を温調マットの上面と略同レベルか又はそれよりも下位とすることにより、熱媒体供給部材上にも温調マット上と略同レベルにて仕上げ材を施工することができる。
【００４６】
なお、本発明においては、熱媒体供給部材の上面と温調マットの上面とが略同レベルであるとは、該熱媒体供給部材の上面が温調マットの上面から若干（例えば０．１〜０．５ｍｍ程度）張り出していてもよいことを示している。
【００４７】
通常、熱媒体供給部材としては、ヘッダーや、チーズ管と称されるＴ字形やＬ字形の継手等が用いられる。しかしながら、汎用品の熱媒体供給部材は、従来の厚みの大きい温調マットに合わせて構造や各部の寸法等が決定されているため、この汎用品の熱媒体供給部材をそのまま床下地の上に設置すると、この熱媒体供給部材が本発明の温調床で用いられる温調マットの上面から突き出すことがある。本発明では、床下地の上面に凹所を設け、この凹所内に熱媒体供給部材を設置することにより、汎用品の熱媒体供給部材を用いた場合でも、この熱媒体供給部材の上面を温調マットの上面と略同レベルかそれよりも下位とすることができる。
【００４８】
この場合、床下地に開口を設け、この開口に、底面が該床下地の上面よりも下位となる凹所を有した支持部材を設置し、この支持部材の凹所に熱媒体供給部材を設置するようにしてもよい。このように支持部材を介して熱媒体供給部材を設置することにより、例えば床下地が合板等で構成され、その表面がささくれ易いものであっても、このささくれにより生じた棘が熱媒体供給部材に刺さることが防止される。また、この支持部材の上面を温調マットの上面と略同レベルとすることにより、床上荷重が熱媒体供給部材に加えられることを防止ないし緩和することができる。
【００４９】
この支持部材の上部から側方へ向って、該支持部材の上面と略面一状に、温調マットの基板と略同厚さのフランジ部が突設された構成としてもよい。このように構成した場合、該フランジ部を開口の周囲の床下地の上面に重ねるようにして支持部材を開口に設置するだけで、この支持部材の上面を温調マットの上面と略同レベルとすることができ、施工が容易化される。また、このフランジ部を介して支持部材が開口の周囲の床下地の上面に支持されるため、該支持部材に加えられる床上荷重が分散される。
【００５０】
本発明では、凹所を覆う蓋を設けてもよい。これにより、該凹所の直上からの床上荷重が熱媒体供給部材に加えられることを防止ないし緩和することができる。この蓋の上面を温調マットの上面と略同レベルとすることにより、この蓋の上にも温調マット上と略同レベルにて仕上げ材を施工することができる。
【００５１】
本発明では、熱媒体供給部材の上部から側方へ向って、該熱媒体供給部材の上面と略面一状に鍔部を突設し、この鍔部を支持部材の上面に載荷させるように構成してもよい。このように構成した場合、この鍔部を介して熱媒体供給部材が凹所の周囲の支持部材の上面に支持されるため、該熱媒体供給部材に上方から加えられる荷重が分散される。
【００５２】
この場合、支持部材の上面に低段部を設け、この低段部に鍔部を係合させることにより、この鍔部が支持部材の上面から突出しないように設置することができる。
【発明を実施するための最良の形態】
【００５３】
以下、図面を参照して実施の形態について説明する。以下の各実施の形態は、暖房床への本発明の適用例である。なお、以下の各実施の形態は本発明の一例であり、本発明は以下の各実施の形態以外の形態をもとりうる。
【００５４】
［第１の実施の形態に係る温調床に用いられる温調マットとしての床暖房マット１］
第１図は第１の実施の形態に係る温調床に用いられる温調マットとしての床暖房マット１の平面図、第２図は第１図のII−II線に沿う断面図、第３図はこの床暖房マット１の分解断面図である。なお、第１図では均熱シート及び均熱板の図示が省略されている。また、第３図は、第２図と同一部分の断面を示している。
【００５５】
この床暖房マット１は、複数枚（この実施の形態では１０枚）の略長方形の薄板状の基板１０〜１９と、各基板１０〜１９の上面に設けられた配管収容用の溝２と、この溝２に収容されるようにして配材された温調用配管としての温水配管３と、該温水配管３が連なるヘッダー４と、各基板１０〜１９の上面を覆うように配置され、各基板１０〜１９の上面に付着された均熱シート５と、該温水配管３と接するように溝２の内面から各基板１０〜１９の上面にかけて配材された均熱板６と、溝２の底部を塞ぐように各基板１０〜１９の下面に貼り付けられた裏張りシート７等を備えている。
【００５６】
第２，３図に示すように、この床暖房マット１にあっては、各基板１０〜１９は、各々の底面に溝２が露呈する厚さとなっている。
【００５７】
第２図の通り、この実施の形態では、各基板１０〜１９の上面からの溝２の深さは、温水配管３の外径と略等しいものとなっている。即ち、各基板１０〜１９の厚さも、温水配管３の外径と略等しいものとなっている。
【００５８】
温水配管３は、第２，３図のように、略円形の断面形状となっている。
【００５９】
この実施の形態では、第２図の通り、溝２の長手方向と直交方向（即ち溝２の幅方向）の断面形状は、その底部が該温水配管３の外面に沿うように半円弧状に湾曲した略Ｕ字形となっている。この溝２の底部の幅方向の中央付近が、各基板１０〜１９を貫通して各基板１０〜１９の下面に露呈している。
【００６０】
この実施の形態では、各基板１０〜１９に、それぞれ４条ずつ溝２が設けられている。
【００６１】
第２，３図に示すように、均熱板６は、この実施の形態では、溝２の内面に沿うＵ字部６ａと、該Ｕ字部６ａの両端（上端）から各基板１０〜１９の上面に沿って側方に延出する１対のフランジ部６ｂとを有した略Ω字形断面形状のものである。
【００６２】
この均熱板６のＵ字部６ａが溝２内に配置され、その上から、温水配管３がこのＵ字部６ａ内に嵌め込まれるようにして溝２に収容されている。
【００６３】
なお、本発明においては、温水配管３の外径は、通常、５〜１０ｍｍ、特に６〜７ｍｍであることが好ましい。また、均熱板６の厚さは、通常、０．０３〜１ｍｍ、特に０．０８〜１ｍｍであることが好ましい。
【００６４】
本発明においては、各基板１０〜１９の厚さは、通常、５〜１０ｍｍ、特に６〜７ｍｍであることが好ましい。とりわけ、各基板１０〜１９の厚さは、通常、温水配管３の外径＋０．０３〜１ｍｍ、特に温水配管３の外径＋０．０８〜０．１ｍｍであることが好ましい。
【００６５】
裏張りシート７は、各基板１０〜１９の下面に露呈した各溝２を覆うように各基板１０〜１９の下面に沿って配置され、接着剤等により各基板１０〜１９の下面に貼り付けられている。
【００６６】
なお、第２図に示すように、この実施の形態では、該裏張りシート７は、細長い帯状のものであり、溝２を１条ずつ覆っているが、隣り合う複数の溝２を連続して覆うものであってもよく、あるいは各基板１０〜１９の下面の略全体を覆うものであってもよい。
【００６７】
この実施の形態では、該裏張りシート７は、低熱伝導材よりなる。この低熱伝導材としては、不織布や合成樹脂シートあるいは紙等を用いることができる。
【００６８】
これらの低熱伝導材の熱伝導率は、通常、０．０２〜０．５Ｗ／ｍ・ｋ、好ましくは０．０２〜０．１Ｗ／ｍ・ｋである。
【００６９】
第１図の通り、この実施の形態では、隣り合う基板１０〜１９同士の間にそれぞれ小根太２０が配置されている。
【００７０】
第２，３図に示すように、この実施の形態では、各小根太２０は、帯板状の小根太本体２０ａの上下両面に補強板２０ｂ，２０ｂを接着剤等で貼り付けてなる。この実施の形態では、これらの小根太本体２０ａと上下の補強板２０ｂ，２０ｂとの厚さの合計は、各基板１０〜１９の厚さと略同じとなっている。
【００７１】
各小根太２０は、隣接する基板１０〜１９の長側辺に沿って延在し、且つ各々の上面及び下面が、それぞれ隣接する基板１０〜１９の上面及び下面と略面一状に連続するように配設されている。
【００７２】
各小根太２０の長さは、各基板１０〜１９の長さよりも短い。
【００７３】
第１図の通り、基板１０，１１同士の間、基板１２，１３同士の間、基板１４，１５同士の間、基板１６，１７同士の間及び基板１８，１９同士の間の各小根太２０は、それぞれ、一端（第１図における下端。以下、同様。）を各基板１０〜１９の一端に揃えるようにして配置されている。また、基板１１，１２同士の間、基板１３，１４同士の間、基板１５，１６同士の間及び基板１７，１８同士の間の各小根太２０は、それぞれ、他端（第１図における上端。以下、同様。）を各基板１０〜１８の他端に揃えるようにして配置されている。
【００７４】
基板１０，１１同士、基板１２，１３同士、基板１４，１５同士、基板１６，１７同士及び基板１８，１９同士は、各々の間の小根太２０の前記他端側を回り込むように形成された連結部２１によって連結されている。また、基板１１，１２同士、基板１３，１４同士、基板１５，１６同士及び基板１７，１８同士は、各々の間の小根太２０の前記一端側を回り込むように形成された連結部２１によって連結されている。
【００７５】
連結部２１によって連結された基板１０〜１９同士の間においては、この連結部２１を通って各々の溝２同士が連続している。
【００７６】
各連結部２１の小根太２０と反対側には、小小根太２２が取り付けられている。
【００７７】
図示は省略するが、小小根太２２も、小根太２０と同様に、帯板状の小小根太本体の上下両面に補強板を接着剤等で貼り付けてなり、これらの小小根太本体と上下の補強板との厚さの合計が、各基板１０〜１９の厚さと略同じとなっている。各小小根太２２も、上面及び下面が、それぞれ隣接する基板１０〜１９の上面及び下面と略面一状に連続するように配設されている。
【００７８】
この実施の形態では、基板１３の一端側にヘッダー４が配置されている。第１図の通り、この実施の形態では、ヘッダー４に２回路の温水配管３が接続されている。
【００７９】
これらの温水配管３は、互いに略平行に、該ヘッダー４から各連結部２１を通って基板１３，１２，１１をこの順に経由して基板１０まで引き回され、次いで、この基板１０から各連結部２１を通って基板１１，１２，１３，１４，１５，１６，１７，１８をこの順に経由して基板１９まで引き回され、次いで、この基板１９から各連結部２１を通って基板１８，１７，１６，１５，１４をこの順に経由して基板１３まで引き回され、終端がそれぞれヘッダー４に接続されている。
【００８０】
各温水配管３を溝２（Ｕ字部６ａ）に収容しつつこのように引き回した後、基板１０〜１９及びこれらの間の各小根太２０並びに各小小根太２２の上面を連続して覆うように均熱シート５が配置され、該均熱シート５がこれらの基板１０〜１９及び各小根太２０並びに各小小根太２２の上面に接着剤等により貼り付けられている。この均熱シート５により、これらの基板１０〜１９及び各小根太２０並びに各小小根太２２が連結されている。
【００８１】
このように構成された床暖房マット１にあっては、各基板１０〜１９は、各々の上面に設けられた配管収容用の溝２が下面に露呈する程厚さが小さく、これにより、床暖房マット１の全体の厚さも小さいものとなっている。
【００８２】
図示は省略するが、この床暖房マット１を用いて暖房床を構築する場合には、床下地（例えば床のリフォームの場合には既存の床）上にこの床暖房マット１を敷き、その上に仕上げ床材を敷設する。上記の通り、この床暖房マット１にあっては、厚さが小さいので、この床暖房マット１を敷設した床のレベルと、この床暖房マット１を敷設していない部屋の床レベルとの差を小さく抑えることができる。
【００８３】
また、このように床暖房マット１の厚さが小さいので、その分だけ、この床暖房マット１の上に敷設される仕上げ床材として厚さの大きいものを用いても、床のレベルが過度に高くなることが防止される。このように仕上げ床材として厚さの大きいものを用いることにより、構築された暖房床の強度及び剛性を高めることができる。また、仕上げ床材の選択の自由度も高まる。
【００８４】
この床暖房マット１にあっては、各基板１０〜１９の下面に、各溝２を塞ぐように裏張りシート７が貼り付けられているので、各基板１０〜１９の強度も確保される。また、この裏張りシート７により、各溝２からの各基板１０〜１９の下面側への放熱も抑制される。
【００８５】
さらに、この実施の形態では、第２，３図の通り、各溝２の断面形状を略Ｕ字形としたことにより、各基板１０〜１９の下面に露呈する各溝２の幅が小さくなっている。このように構成したことによっても、各溝２からの各基板１０〜１９の下面への放熱が抑制される。
【００８６】
この実施の形態では、基板１０〜１９同士の間に小根太２０が配置されているので、この小根太２０により、床暖房マット１の強度が高められている。
【００８７】
この実施の形態では、小根太２０は、小根太本体２０ａの上下両面にそれぞれ補強板２０ｂが貼り付けられてなるものである。従って、この小根太２０は、厚さが各基板１０〜１９と同程度であるが、十分に強度が確保されたものとなっている。そのため、このように厚さが小さい小根太２０であっても、十分に床暖房マット１の強度を高めることができる。
【００８８】
この実施の形態では、溝２内の温水配管３と接触するように溝２の内面から各基板１０〜１９の上面に重なる均熱板６が設置されているので、温水配管３からの熱を効率よく均熱シート５に伝えることができる。
【００８９】
［第２の実施の形態に係る温調床に用いられる温調マットとしての床暖房マット１Ａ］
第４図は第２の実施の形態に係る温調床に用いられる温調マットとしての床暖房マット１Ａの断面図であり、第５図はこの床暖房マット１Ａの分解断面図である。なお、第４図及び第５図は、前述の第２図と同様の部分における断面を示している。
【００９０】
この床暖房マット１Ａは、前述の第１〜３図の床暖房マット１において、各基板１０〜１９（第４，５図では基板１３〜１９は図示略。以下、同様。）に、略Ｕ字形断面形状の溝２の代わりに、略方形断面形状の溝２Ａが形成された構成となっている。
【００９１】
第４，５図の通り、この溝２Ａは、各基板１０〜１９の上面から下面まで略等幅となっている。
【００９２】
この床暖房マット１Ａのその他の構成は、第１〜３図の床暖房マット１と同様となっており、第４，５図において第１〜３図と同一符号は同一部分を示している。
【００９３】
この床暖房マット１Ａにあっては、各溝２Ａの断面形状が略方形であり、各基板１０〜１９の上面から下面まで略等幅となっているので、この溝２Ａ付きの基板１０〜１９の成形が容易である。
【００９４】
なお、この床暖房マット１Ａにあっても、略Ｕ字形の溝２により奏される下面側への放熱抑制効果を除き、床暖房マット１と同様の作用効果が奏される。
【００９５】
［第３の実施の形態に係る温調床に用いられる温調マットとしての床暖房マット１Ｂ］
第６図は第３の実施の形態に係る温調床に用いられる温調マットとしての床暖房マット１Ｂの折り畳み手順を示す側面図であり、第７図は第６図のVII部分の平面図（拡大図）である。なお、第７図では、均熱シート５、均熱板６及び温水配管３の図示が省略されている。
【００９６】
この床暖房マット１Ｂは、４枚の基板Ａ，Ｂ，Ｃ，Ｄを一列に配列してなる。
【００９７】
この実施の形態では、各基板Ａ〜Ｄ同士の間には小根太が配置されておらず、これらの基板Ａ〜Ｄは、直に各々の一側辺同士を突き合わせるようにして配列されている。
【００９８】
第６図（ａ）に示すように、この床暖房マット１Ｂにおいては、基板配列方向において、該基板配列方向の両端側の基板Ａ，Ｄの幅が、該基板配列方向の中央側の基板Ｂ，Ｃの幅よりも小となっている。また、この実施の形態では、該基板配列方向において、基板Ａの幅と基板Ｄの幅とが略等しく、基板Ｂの幅と基板Ｃの幅とが略等しくなっている。なお、これらの基板Ａ，Ｄの幅及び基板Ｂ，Ｃの幅は、それぞれ、３０３ｍｍの整数倍であることが好ましく、これらの基板Ａ，Ｄの幅と基板Ｂ，Ｃの幅との差も、３０３ｍｍの整数倍であることが好ましい。
【００９９】
これらの基板Ａ，Ｂ同士の突き合わせ部、基板Ｂ，Ｃ同士の突き合わせ部及び基板Ｃ，Ｄ同士の突き合わせ部を跨いで、これらの基板Ａ〜Ｄに連続して温水配管３が引き回されている。
【０１００】
基板Ｂ，Ｃ間を例に挙げて説明するが、第７図に示すように、基板Ｂにおいては、溝２の基板Ｃ側の端部は、該基板Ｂの基板Ｃ側の端辺に臨んでおり、基板Ｃにおいては、溝２の基板Ｂ側の端部は、該基板Ｃの基板Ｂ側の端辺に臨んでいる。
【０１０１】
第７図の通り、基板Ｂにおいては、溝２が該基板Ｂの基板Ｃ側の端部付近で円弧状に湾曲しており、この溝２の端部は、該基板Ｂの基板Ｃ側の端辺に沿って延在している。また、基板Ｃにおいても、溝２が該基板Ｃの基板Ｂ側の端部付近で円弧状に湾曲しており、この溝２の端部は、該基板Ｃの基板Ｂ側の端辺に沿って延在している。
【０１０２】
床暖房マット１Ｂを展開した状態においては、基板Ｂ側の溝２の端部と、基板Ｃ側の溝２の端部とがそれぞれ対面する。これにより、溝２が基板Ｂ，Ｃ同士の突き合わせ部を跨いで基板Ｂから基板Ｃに連続して延在したものとなる。この実施の形態では、第７図の通り、溝２は、基板Ｂから基板Ｃにかけて略Ｓ字形を呈するように連続する。
【０１０３】
各溝２の端部は基板Ｂ，Ｃの端辺に沿って延在しているので、これらの溝２の端部同士が対面することにより、基板Ｂ，Ｃ同士の突き合わせ部を跨ぎ、且つこれらの突き合わせ部に沿って延在する溝２’（第７図）が形成される。第７図の通り、基板Ｂ，Ｃの端辺からの各溝２の端部の幅は、各溝２の他の部分の幅の半分かそれよりも若干大きなものとなっている。従って、これらの溝２の端部同士が対面することにより形成される溝２’の幅は、各溝２の他の部分の幅と略同等の大きさとなる。
【０１０４】
温水配管３は、この溝２’に収容されるようにして、基板Ｂ，Ｃ同士の突き合わせ部を跨いで該基板Ｂから基板Ｃに連続して引き回されている。
【０１０５】
なお、第７図では、各溝２は基板Ｂ，Ｃ同士の突き合わせ部を跨いで基板Ｂから基板Ｃにかけて略Ｓ字形を呈しているが、他の形態として、溝２は、基板Ｂ，Ｃ同士の突き合わせ部を、該突き合わせ部の延在方向と略交叉方向に跨いでもよく、あるいは、該突き合わせ部の延在方向に対し斜め方向に略直線状に跨いでもよい。
【０１０６】
詳しい図示は省略するが、基板Ａと基板Ｂとの間、並びに基板Ｃと基板Ｄとの間にも、それぞれ、これらの基板同士の突き合わせ部を跨ぎ、且つ該突き合わせ部に沿って延在する溝２’が形成されており、この溝２’に収容されるようにして、それぞれ該突き合わせ部を跨いで一方の基板から他方の基板に連続して温水配管３が引き回されている。
【０１０７】
この実施の形態では、各基板Ａ〜Ｄの上面にそれぞれ均熱シート５が貼り付けられている。この実施の形態では、基板Ａ，Ｂ間、基板Ｂ，Ｃ間、並びに基板Ｃ，Ｄ間で、これらの突き合わせ部に沿って均熱シート５が分断されており、各基板Ａ〜Ｄの上面に貼られた均熱シート５同士は連続していない。
【０１０８】
この床暖房マット１Ｂにおいては、基板Ａ，Ｂ同士の突き合わせ部、基板Ｂ，Ｃ同士の突き合わせ部及び基板Ｃ，Ｄ同士の突き合わせ部が、それぞれ、床暖房マット１Ｂを折り畳むための折り線部３０，３１，３２となっている。
【０１０９】
この床暖房マット１Ｂのその他の構成は、第１〜３図の床暖房マット１と同様となっており、第６，７図において第１〜３図と同一符号は同一部分を示している。
【０１１０】
この床暖房マット１Ｂを折り畳む場合には、まず、第６図（ａ）のように床暖房マット１Ｂが展開された状態から、第６図（ｂ）のように、基板Ａ，Ｂ間の折り線部３０に沿って、該基板Ａ，Ｂ間を山折りし、これらの基板Ａ，Ｂの下面同士を対面させるようにして、該基板Ａを基板Ｂの下面側に折り重ねる。また、基板Ｃ，Ｄ間の同士の折り線部３２に沿って、該基板Ｃ，Ｄ間を山折りし、これらの基板Ｃ，Ｄの下面同士を対面させるようにして、該基板Ｄを基板Ｃの下面側に折り重ねる。
【０１１１】
なお、前述の通り、この床暖房マット１Ｂにおいては、基板配列方向において、基板Ａ，Ｄの幅が基板Ｂ，Ｃの幅よりも小となっているので、これらの基板Ａ，Ｄは、互いに重なり合うことなく、それぞれ基板Ｂ，Ｃにのみ重なっている。
【０１１２】
次に、第６図（ｃ）のように、基板Ｂ，Ｃ間の折り線部３１に沿って、該基板Ｂ，Ｃ間を山折りし、これらの基板Ｂ，Ｃの下面同士を対面させ、且つこれらの間に基板Ａ，Ｄを挟み込むようにして、該基板Ａ，Ｂの折り重ね体と基板Ｃ，Ｄの折り重ね体とを重ね合わせる。
【０１１３】
この際、基板Ａ，Ｄは、いずれも、該基板Ｂ，Ｃ間の折り線部３１に重なっていないので、これらの基板Ｂ，Ｃ間の山折りをスムーズに行うことができる。
【０１１４】
なお、この実施の形態では、前述の通り、温水配管３のうち、基板Ａ，Ｂ間の折り線部３０を跨ぐ部分、基板Ｂ，Ｃ間の折り線部３１を跨ぐ部分、並びに基板Ｃ，Ｄ間の折り線部３２を跨ぐ部分が、それぞれ、これらの折り線部３０〜３２（基板同士の突き合わせ部）に沿って延在しているので、これらの折り線部３０〜３２に沿って基板Ａ，Ｂ間、基板Ｂ，Ｃ間及び基板Ｃ，Ｄ間を山折りした際には、温水配管３は、これらの折り線部３０〜３２を跨ぐ部分がその軸心回りに捩れるようにして曲がる。
【０１１５】
これにより、基板Ａ，Ｂ間、基板Ｂ，Ｃ間及び基板Ｃ，Ｄ間の山折りに伴い、温水配管３が座屈して破損することが防止される。
【０１１６】
以上のように、床暖房マット１Ｂを折り線部３０，３１，３２で全て山折りにて折り畳むことにより、各基板Ａ〜Ｄの下面に各溝２を塞ぐように貼り付けられた裏張りシート７（第６，７図では図示略。）を剥がさずに床暖房マット１Ｂを折り畳むことができる。
【０１１７】
［第４の実施の形態に係る温調床に用いられる温調マットとしての床暖房マット１Ｃ］
第８図は第４の実施の形態に係る温調床に用いられる温調マットとしての床暖房マット１Ｃの小根太付近の断面図である。なお、第８図（ａ）は床暖房マット１Ｃ上に仕上げ床材を敷設する前の状態を示し、第８図（ｂ）は床暖房マット１Ｃ上に仕上げ床材を敷設した後の状態を示している。
【０１１８】
この床暖房マット１Ｃにおいては、第８図（ａ）の通り、各小根太２０の厚さＴ１は、各基板１０〜１９（第８図では、代表して基板１０，１１のみ図示。）の厚さＴ２よりも小さなものとなっている。本発明においては、各基板１０〜１９の厚さＴ２と小根太２０の厚さＴ１との差（Ｔ２−Ｔ１）は、０．１〜１ｍｍ、特に０．２〜０．５ｍｍであることが好ましい。
【０１１９】
各小根太２０は、下面が各基板１０〜１９の下面と略面一状となるように配置されている。即ち、第８図（ａ）の通り、各小根太２０の上面は、各基板１０〜１９の上面よりも前記（Ｔ２−Ｔ１）だけ低くなっている。
【０１２０】
なお、この実施の形態でも、各基板１０〜１９の上面と各小根太２０の上面とに跨って均熱シート５が配置され、接着剤（図示略）により該均熱シート５が各基板１０〜１９の上面と各小根太２０の上面とにそれぞれ接着されているが、各小根太２０の上面が各基板１０〜１９の上面よりも低くなっている分だけ、均熱シート５の上面も、第８図（ａ）の通り、各小根太２０上においては各基板１０〜１９上よりも低くなっている。
【０１２１】
なお、図示は省略するが、この実施の形態では、各小小根太２２の厚さも、各基板１０〜１９の厚さＴ２よりも小さい厚さＴ１となっており、各小小根太２２の上面は、各小根太２０と同様に、各基板１０〜１９の上面よりも低くなっている。そのため、均熱シート５の上面は、各小小根太２２上においても、各基板１０〜１９上よりも低くなっている。
【０１２２】
この床暖房マット１Ｃのその他の構成は、前述の第１〜３図の床暖房マット１と同様である。
【０１２３】
この床暖房マット１Ｃを用いて暖房床を構築する場合には、床下地（図示略）上にこの床暖房マット１Ｃを敷き、釘（図示略）で各小根太２０及び小小根太２２を該床下地に留め付ける。その後、各小根太２０上及び小小根太２２上（この実施の形態では、各小根太２０及び小小根太２２の上面をそれぞれ覆っている均熱シート５上。以下、同様。）に接着剤４１を塗布し、その上に仕上げ床材４０を敷設し、該仕上げ床材４０を接着剤４１により床暖房マット１Ｃの上面に接着する。
【０１２４】
なお、仕上げ床材４０は、接着剤４１で各小根太２０及び小小根太２２に接着されるだけでなく、釘（図示略）により各小根太２０及び各小小根太２２に留め付けられてもよい。この釘は、各小根太２０及び小小根太２２を貫通して床下地に打ち込まれてもよい。
【０１２５】
この床暖房マット１Ｃにあっては、各小根太２０及び小小根太２２の厚さＴ１が各基板１０〜１９の厚さＴ２よりも小さく、各小根太２０及び小小根太２２の上面が各基板１０〜１９の上面よりも低くなっているので、各小根太２０上及び小小根太２２上にそれぞれ接着剤４１を塗布して仕上げ床材４０を床暖房マット１Ｃの上面に接着しても、この接着剤４１の厚さにより仕上げ床材４０が各基板１０〜１９の上面（この実施の形態では、各基板１０〜１９の上面を覆う均熱シート５の上面。以下、同様。）から浮き上がってしまうことが防止される。
【０１２６】
［第５の実施の形態に係る温調床に用いられる温調マットとしての床暖房マット１Ｄ］
第９図は第５の実施の形態に係る温調床に用いられる温調マットとしての床暖房マット１Ｄの小根太付近の断面図である。なお、第９図（ａ）は床暖房マット１Ｄ上に仕上げ床材を敷設する前の状態を示し、第９図（ｂ）は床暖房マット１Ｄ上に仕上げ床材を敷設した後の状態を示している。
【０１２７】
この床暖房マット１Ｄにおいても、第９図（ａ）の通り、各小根太２０は、各基板１０〜１９（第９図では、代表して基１０，１１のみ図示。）の厚さＴ２よりも小さい厚さＴ１を有したものとなっている。
【０１２８】
この実施の形態でも、均熱シート５は、各基板１０〜１９の上面と、隣接する各小根太２０の上面とに跨って配置され、接着剤（図示略）によりこれらに接着されているが、この床暖房マット１Ｄでは、各小根太２０上において、該小根太２０を挟んだ一方の基板側と他方の基板側とに均熱シート５が分断されており、該一方の基板側の均熱シート５と他方の基板側の均熱シート５との間に小根太２０の上面が露出したものとなっている。
【０１２９】
以下、基板１０，１１間を例に挙げて各小根太２０上における均熱シート５の配置について説明する。なお、他の基板１１〜１９間においても、この基板１０，１１間と同様の構成となっている。
【０１３０】
第９図（ａ）の通り、この実施の形態では、基板１０上に配置された均熱シート５の基板１１側の端部は、小根太２０の全幅Ｗ０の半分よりも小さい所定幅Ｗ１だけ、これらの基板１０，１１間の小根太２０上へ張り出し、該小根太２０の上面の基板１０側の縁部に貼り付けられている。また、基板１１上に配置された均熱シート５の基板１０側の端部も、該基板１０側の均熱シート５と同程度の所定幅Ｗ１だけ、これらの基板１０，１１間の小根太２０上に張り出し、該小根太２０の上面の基板１１側の縁部に貼り付けられている。
【０１３１】
一般に、各小根太２０の幅Ｗ０は、４５ｍｍに設定される。この場合、基板１０，１１間の小根太２０上への該基板１０側及び基板１１側の各均熱シート５の張り出し幅Ｗ１は、２〜１７．５ｍｍ、特に５〜１０ｍｍであることが好ましい。即ち、基板１０側の均熱シート５と基板１１側の均熱シート５との間に露出した小根太２０の上面の幅（Ｗ０−２Ｗ１）は、１０〜４１ｍｍ、特に２５〜３５ｍｍであることが好ましい。
【０１３２】
図示は省略するが、各小小根太２２も、各基板１０〜１９の厚さＴ２よりも小さい厚さＴ１を有したものとなっており、各小小根太２２の上面は、各基板１０〜１９の上面よりも低くなっている。また、各小小根太２２上においても、該小小根太２２を挟んだ一方の基板側と他方の基板側とに均熱シート５が分断されており、該一方の基板側の均熱シート５と他方の基板側の均熱シート５との間に小小根太２２の上面が露出したものとなっている。
【０１３３】
各小小根太２２上における均熱シート５の配置は、前述の基板１０，１１間の小根太２０上と同様となっている。
【０１３４】
この床暖房マット１Ｄのその他の構成は、前述の第８図の床暖房マット１Ｃと同様である。
【０１３５】
この床暖房マット１Ｄを用いて暖房床を構築する手順も、第８図の床暖房マット１Ｃと同様である。即ち、床下地（図示略）上にこの床暖房マット１Ｄを敷き、釘（図示略）で各小根太２０及び各小小根太２２を該床下地に留め付ける。その後、各小根太２０上及び小小根太２２上に接着剤４１を塗布し、その上に仕上げ床材４０を敷設し、該接着剤４１により仕上げ床材４０を各小根太２０及び小小根太２２に接着する。
【０１３６】
この床暖房マット１Ｄにあっては、各小根太２０の上面及び各小小根太２２の上面が該床暖房マット１Ｄの表面に露出しているので、床暖房マット１Ｄ上に敷設された仕上げ床材４０を各小根太２０及び小小根太２２に直接的に接着することができる。これにより、仕上げ床材４０を各小根太２０及び小小根太２２に強固に固定することができる。
【０１３７】
なお、この実施の形態でも、仕上げ床材４０は、接着剤４１で各小根太２０及び小小根太２２に接着されるだけでなく、釘（図示略）により各小根太２０及び各小小根太２２に留め付けられてもよい。この釘は、各小根太２０及び小小根太２２を貫通して床下地に打ち込まれてもよい。
【０１３８】
［第６の実施の形態に係る温調床に用いられる温調マットとしての床暖房マット１Ｅ］
第１０図は第６の実施の形態に係る温調床に用いられる温調マットとしての床暖房マット１Ｅの断面図であり、第１１図（ａ），（ｂ）はこの床暖房マット１Ｅの配管収容溝付近の拡大断面図である。なお、第１１図（ａ）は床暖房マット１Ｅを床下地上に設置する前の状態を示し、第１１図（ｂ）は床暖房マット１Ｅを床下地上に設置した後の状態を示している。
【０１３９】
この床暖房マット１Ｅにおいては、各配管収容用溝２Ａの底部を塞ぐ裏貼りシート７の下側に、さらに、耐貫通性を有する貫通防止層５０が設けられている。該貫通防止層５０は、この実施の形態では、合成樹脂製の単層又は複層フィルムよりなる。この単層又は複層フィルムの材質としては、ポリプロピレンやポリエステル等が好適である。
【０１４０】
この貫通防止層５０の厚さは０．０２５〜０．２ｍｍ、特に０．０５〜０．１ｍｍであることが好ましい。
【０１４１】
なお、貫通防止層５０の材質はこれに限定されるものではない。これ以外にも、例えば紙や不織布のシート、あるいは紙と合成樹脂製の単層又は複層フィルムとを積層した複合シート、不織布と合成樹脂製の単層又は複層フィルムとを積層した複合シート等により貫通防止層５０を構成してもよい。
【０１４２】
なお、この貫通防止層５０の材質としては、金属は不向きである。なぜなら、金属は、紙や不織布、合成樹脂に比べて熱伝導率が高いので、貫通防止層５０を金属により構成した場合、この貫通防止層５０を介して熱が床下地に伝えられ、床暖房マット１Ｄの上面の暖房効率が低下するおそれがあるからである。
【０１４３】
この実施の形態では、該貫通防止層５０は、床暖房マット１Ｅの下面全体を覆う大きさとなっている。この貫通防止層５０は、その外周縁部のみが床暖房マット１Ｅに接着剤等により接着されており、それ以外の大部分は床暖房マット１Ｅの下面に対し非接着とされている。
【０１４４】
この床暖房マット１Ｅのその他の構成は、前述の第４，５図の床暖房マット１Ａと同様であり、第１０，１１図において第４，５図と同一符号は同一部分を示している。
【０１４５】
この床暖房マット１Ｅを用いて暖房床を構築する手順は前述の各実施の形態と同様である。即ち、床下地５１上にこの床暖房マット１Ｅを敷き、その上に仕上げ床材（図示略）を敷設する。
【０１４６】
床下地５１が合板等により構成されている場合には、第１１図（ａ）のように、床下地５１の表面がささくれて鋭く尖った棘５２が突き出していることがある。
【０１４７】
この実施の形態では、床暖房マット１Ｅの下面に貫通防止層５０が設けられているので、この棘５２の上に床暖房マット１Ｅを敷いても、第１１図（ｂ）のように、この棘５２は貫通防止層５０を貫通することができずに床暖房マット１Ｅによって押し潰される。これにより、この棘５２が裏貼りシート７を貫いて温水配管３に突き刺さることが防止される。
【０１４８】
なお、この床暖房マット１Ｅは、第４，５図の床暖房マット１Ａと同様に、各基板１０〜１９の上面側から下面側まで等幅の略方形の断面形状の配管収容用溝２Ａが設けられたものとなっているが、前述の第１〜３図の床暖房マット１と同様に、略Ｕ字形の断面形状の配管収容用溝２が設けられたものであってもよい。
【０１４９】
［貫通防止層のその他の構成例］
第１２図は、貫通防止層の別の構成例を示す、第１１図と同様部分の拡大断面図である。
【０１５０】
この実施の形態では、貫通防止層５０は、前述した合成樹脂製の単層又は複層フィルムと紙又は不織布とを積層してなる複合シートにより構成されている。この紙又は不織布の層５３は、図示の通り、該単層又は複層フィルムの下側に形成されている。
【０１５１】
床下地５１が、ワックスが塗布された既存床である場合、この床下地５１上に床暖房マットを敷設して温調床を構築すると、この床暖房マットからの熱により床下地５１の表面のワックスが溶け出すおそれがある。この実施の形態では、貫通防止層５０の下側の紙又は不織布の層５３は、この溶け出したワックスを吸収しうるものとなっている。即ち、この実施の形態では、該紙又は不織布の層５３は、ワックス吸収層となっている。
【０１５２】
このワックス吸収層５３は、貫通防止層５０の下面の全体にわたって形成されている。
【０１５３】
この実施の形態のその他の構成は、前述の第１０，１１図の実施の形態と同様となっている。
【０１５４】
この実施の形態にあっては、床下地５１の表面のワックスが床暖房マットからの熱により溶け出しても、このワックスはワックス吸収層５３によって吸収されるため、暖房床上を人が歩いても、床暖房マットが床下地５１上を滑って音鳴りすることが防止される。
【０１５５】
なお、本発明においては、前述のように貫通防止層５０自体を紙又は不織布により構成し、この貫通防止層５０自体がワックスを吸収しうるように構成してもよい。
【０１５６】
［第７の実施の形態に係る温調床に用いられる温調マットとしての床暖房マット１Ｆとその設置構造］
第１３図は第７の実施の形態に係る温調床に用いられる温調マットとしての床暖房マット１Ｆの設置構造の平面図、第１４図は第１３図のXIV部分の拡大図、第１５図は第１３図のXV−XV線に沿う断面図である。
【０１５７】
この床暖房マット１Ｆも、複数枚（この実施の形態でも１０枚）の略長方形の薄板状の基板６０と、複数本（この実施の形態でも９本）の小根太２０とが、各々の長手方向を平行方向として交互に配列され、各基板６０上に温水配管３が引き回された構成となっている。この実施の形態では、各小根太２０の長手方向の途中部に、隣り合う基板６０，６０同士を連結するスペース（符号略）が形成されており、温水配管３は、このスペースを通って隣り合う一方の基板６０から他方の基板６０に連続して引き回されている。
【０１５８】
第１５図に示すように、この実施の形態では、該床暖房マット１Ｆは、第４，５図の床暖房マット１Ａと同様に、各基板６０の上面側から下面側まで等幅の略方形の断面形状の配管収容用溝２Ａが設けられたものとなっている。ただし、前述の第１〜３図の床暖房マット１と同様に、略Ｕ字形の断面形状の配管収容用溝２が設けられてもよい。
【０１５９】
なお、一般に流通している仕上げ床材としてのフローリング材（図示略）は、短辺が３０３ｍｍ（一尺）であり、長辺が３０３ｍｍの整数倍となっている。そのため、この床暖房マット１Ｆも、３０３ｍｍを基本単位として各部の寸法が設定されている。
【０１６０】
具体的には、この床暖房マット１Ｆにおいては、各基板６０の全長は、実質的に３０３ｍｍの整数倍となっている。また、隣り合う小根太２０の幅方向の中心（芯）同士の間隔、即ち小根太２０の配設ピッチＰ（第１４図）は実質的に３０３ｍｍとなっている。この実施の形態では、例えば各小根太２０の幅Ｗ２（第１４図）が４５ｍｍとされ、隣り合う小根太２０，２０同士の間に配材される各基板６０の幅Ｗ３（第１４図）が２８５ｍｍとされている。
【０１６１】
なお、本発明において、実質的に３０３ｍｍとは、２９３〜３１３ｍｍの範囲にあることを表している。
【０１６２】
この床暖房マット１Ｆのその他の構成は、前述の第４，５図の床暖房マット１Ａと同様であり、第１３〜１６図において第４，５図と同一符号は同一部分を示している。
【０１６３】
次に、この床暖房マット１Ｆを用いて暖房床を構築する手順について説明する。
【０１６４】
通常、床暖房マット１Ｆの縦横の長さは、暖房床が構築される室の床下地の縦横の幅よりも小さい。一般的に、この床暖房マット１Ｆと床下地の縦横の寸法差は、実質的に３０３ｍｍの整数倍、又は１５１．５ｍｍ（１／２尺）の整数倍となっている。なお、本発明において、実質的に１５１．５ｍｍとは、１４１．５〜１６１．５ｍｍの範囲にあることを表す。
【０１６５】
そこで、第１３図のように、床暖房マット１Ｆを床下地上に敷設すると共に、その周囲にダミー材を配材し、床下地全体をこの床暖房マット１Ｆとダミー材とで覆う。
【０１６６】
なお、本発明の床暖房マット１Ｆは、一般的な床暖房マットよりも厚みが小さいため、一般的な床暖房マットを設置する場合に配材されるダミー材では、本発明の床暖房マット１Ｆよりも厚みが大きすぎて使用できない。そのため、この実施の形態では、専用のダミー材を用いる。
【０１６７】
この実施の形態のダミー材は、ダミー小根太６１ａ，６１ｂと、ダミー基板６２ａ，６２ｂとからなる。
【０１６８】
第１３図のように、ダミー小根太６１ａ及びダミー基板６２ａは、床暖房マット１Ｆの小根太２０及び基板６０の長手方向の両端側に配材される。また、ダミー小根太６１ｂ及びダミー基板６２ｂは、床暖房マット１Ｆの小根太２０及び基板６０の配列方向の両端側に配材される。
【０１６９】
これらのダミー小根太６１ａ，６１ｂ及びダミー基板６２ａ，６２ｂは、それぞれ、予め３０３ｍｍの整数倍又は１５１．５ｍｍの整数倍の所定長さ（例えば１８１８ｍｍ）に成形された共通のダミー小根太母材及びダミー基板母材（いずれも図示略）を現場寸法に合わせてカットしたり継ぎ足したりして製作される。
【０１７０】
このダミー小根太６１ａ，６１ｂは、幅Ｗ４（第１４図）及び厚さＴ３（第１５図）が、それぞれ床暖房マット１Ｆの各小根太２０の幅Ｗ２及び厚さＴ１（第８図（ａ）参照。）と同等となっている。第１５図の通り、この実施の形態では、ダミー小根太６１ａ，６１ｂも、床暖房マット１Ｆの各小根太２０と同様に、小根太本体６１ｃの上下両面に補強板６１ｄ，６１ｄを貼り付けてなる。この小根太本体６１ｃ及び補強板６１ｄの材質等の構成は、それぞれ小根太２０の小根太本体２０ａ及び補強板２０ｂと同様である。即ち、この実施の形態では、該ダミー小根太６１ａ，６１ｂは、床暖房マット１Ｆの小根太２０と同一のものとなっている。
【０１７１】
また、ダミー基板６２ａ，６２ｂは、幅Ｗ５（第１４図）及び厚さＴ４（第１５図）が、それぞれ床暖房マット１Ｆの各基板６０の幅Ｗ３及び厚さＴ５（第１５図）と同等となっている。このダミー基板６２ａ，６２ｂの材質も、基板６０と同様となっている。即ち、この実施の形態では、該ダミー基板６２ａ，６２ｂは、上面に配管収容用溝が設けられていないこと以外は、床暖房マット１Ｆの各基板６０と同様のものとなっている。
【０１７２】
各ダミー小根太６１ａとダミー基板６２ａとは、第１３，１４図のように、床暖房マット１Ｆの各小根太２０及び各基板６０を各々の長手方向に延長するように配材される。即ち、各ダミー小根太６１ａは、床暖房マット１Ｆの各小根太２０の両端側に、該小根太２０と等ピッチＰにて、且つ各小根太２０と芯を揃えて配材され、これらの間にそれぞれダミー基板６２ａが配材される。
【０１７３】
また、第１３，１５図のように、床暖房マット１Ｆの小根太２０及び基板６０の配列方向の両端側においては、それぞれ、各ダミー小根太６１ｂが各小根太２０と平行に且つ等ピッチＰにて配材され、これらの間に、それぞれダミー基板６２ｂが長手方向を各ダミー小根太６１ｂと平行方向として配材される。
【０１７４】
各ダミー基板６２ａ，６２ｂは、床暖房マット１Ｆの各基板６０と同等の厚さとなっているので、この床暖房マット１Ｆの各基板６０とその周囲のダミー基板６２ａ，６２ｂの上面とは略同レベルとなる。
【０１７５】
このように床暖房マット１Ｆ並びに各ダミー小根太６１ａ，６１ｂ及びダミー基板６２ａ，６２ｂを床下地上に敷設した後、各小根太２０上及び各ダミー小根太６１ａ，６１ｂ上にそれぞれ接着剤を塗布する。その後、これらの上に、室の端から順次仕上げ床材としてのフローリング材（図示略）を敷設する。この際、各フローリング材を、その長手方向が床暖房マット１Ｆの各小根太２０の延在方向と略直交方向となるように配材する。
【０１７６】
フローリング材は、複数の小根太２０に跨って配置される。この際、各フローリング材の短辺を小根太２０に重ねるようにする。そして、各フローリング材を接着剤により各小根太２０及び各ダミー小根太６１ａ，６１ｂに接着すると共に、釘（図示略）で各小根太２０及び各ダミー小根太６１ａ，６１ｂに留め付ける。
【０１７７】
なお、前述の通り、一般的に流通している規格品のフローリング材は、短手幅が実質的に３０３ｍｍであり、長手幅が実質的に３０３ｍｍの整数倍となっている。この床暖房マット１Ｆは、隣り合う小根太２０，２０の芯同士の間隔が３０３ｍｍとなっているので、フローリング材の一方の短辺を小根太２０に重ねると、このフローリング材の他方の短辺も別の小根太２０に重なるようになる。
【０１７８】
この実施の形態では、床暖房マット１Ｆの周囲にも、この床暖房マット１Ｆの小根太２０と等ピッチＰにてダミー小根太６１ａ，６１ｂが配材されているので、この床暖房マット１Ｆの周囲のダミー材上においても、床暖房マット１Ｆ上と同様に、フローリング材を各ダミー小根太６１ａ，６１ｂに揃えて配材して各ダミー小根太６１ａ，６１ｂに釘留めすることができる。
【０１７９】
なお、この実施の形態の床暖房マット設置構造は一例であり、本発明の床暖房マットは、上記以外の構造により設置することも可能である。例えば、本発明の床暖房マットの各基板と同等の厚みの合板を製材し、この合板をダミー材として床暖房マットの周囲に配材するようにしてもよい。
【０１８０】
［実施の形態に係る温調床としての暖房床］
第１６図は実施の形態に係る温調床としての暖房床の平面図、第１７図はこの暖房床に用いられる熱媒体供給部材としてのヘッダーの支持部材の平面図、第１８図は第１７図のXVIII−XVIII線に沿う断面図、第１９図は第１７図のXIX−XIX線に沿う断面図、第２０図（ａ）はヘッダーの平面図、第２０図（ｂ）は第２０図（ｂ）のＢ−Ｂ線矢視図、第２１図はこの暖房床のヘッダー付近の拡大平面図、第２２図は第２１図のXXII−XXII線に沿う断面図、第２３図は第２１図のXXIII−XXIII線に沿う断面図である。
【０１８１】
この実施の形態では、床下地５１（第２２，２３図）上に、略方形の２枚の床暖房マット１Ｇ，１Ｇを敷設すると共に、各床暖房マット１Ｇの温水配管３に温水を供給するためのヘッダー４Ａを設置し、その周囲にダミー小根太６１ａ，６１ｂ及びダミー基板６２ａ，６２ｂからなるダミー材を配材した後、これらの上に床仕上げ材（図示略）を施工することにより、暖房床が構築されている。
【０１８２】
第１６図の通り、この実施の形態でも、各床暖房マット１Ｇは、複数枚の略長方形の薄板状の基板６０と、複数本の小根太２０とが、各々の長手方向を平行方向として交互に配列され、各基板６０上に温水配管３が引き回された構成となっている。この実施の形態では、各小根太２０の一端側又は他端側あるいは長手方向の途中部に、隣り合う基板６０，６０同士を連結するスペース（符号略）が形成されており、温水配管３は、このスペースを通って隣り合う一方の基板６０から他方の基板６０に連続して引き回されている。各基板６０に設けられた配管収容用溝（図示略）の本数及びこの溝に沿って各基板６０上を引き回された温水配管３の本数は、前述の実施の形態と同じ（即ちそれぞれ４本）である。
【０１８３】
詳しい図示は省略するが、前述の実施の形態と同様に、各基板６０は、各々に設けられた配管収容用溝（図示略）が各々の下面に露呈する厚さ、即ち温水配管３の外径と略同等の厚さとなっている。また、各小根太２０は、この基板６０と同程度の厚さか、又はそれよりも所定寸法だけ小さい厚さとなっている。各基板６０の配管収容用溝の断面形状は、前述の実施の形態と同様、基板６０の上面側から下面側まで等幅の略方形であってもよく、底面が温水配管３の外面に沿うように湾曲した略Ｕ字形であってもよい。
【０１８４】
この実施の形態では、床暖房マット１Ｇ，１Ｇ同士の間に中間小根太２０’が配材され、各床暖房マット１Ｇは、各々の小根太方向を該中間小根太２０’と平行方向とし、且つ各々の一端辺を該中間小根太２０’に突き合わせるようにして配置されている。
【０１８５】
第１６図の通り、各床暖房マット１Ｇは、中間小根太２０’の一端側及び他端側の各端辺をそれぞれ該中間小根太２０’の一端及び他端に揃えて配置されている。以下、便宜上、左右方向とは第１６図の左右方向をいう。また、以下の説明において、各床暖房マット１Ｇの上辺、下辺、左辺及び右辺とは、それぞれ、第１６図における上辺、下辺、左辺及び右辺に対応する。
【０１８６】
この実施の形態では、ヘッダー４Ａは、各床暖房マット１Ｇの外側に配置されている。第１６図の通り、各床暖房マット１Ｇの中間小根太２０’と反対側の端辺（即ち左側の床暖房マット１Ｇの左辺及び右側の床暖房マット１Ｇの右辺）の長手方向の途中部にそれぞれ配管引き出し用スペース７０が設けられている。各床暖房マット１Ｇ上を引き回された温水配管３は、それぞれ、これらのスペース７０から各床暖房マット１Ｇの外側へ引き出されている。
【０１８７】
各床暖房マット１Ｇの中間小根太２０’と反対側の端辺に隣接してそれぞれ配管引き出し用基板７１が配材されている。これらの配管引き出し用基板７１は、それぞれ各床暖房マット１Ｇの配管引き出し用スペース７０に係合している。
【０１８８】
各配管引き出し用基板７１には、それぞれ、一端が該配管引き出し用スペース７０を介して各床暖房マット１Ｇの各配管収容用溝に連なる４条の配管収容用溝（符号略）が設けられている。この実施の形態では、該配管引き出し用基板７１の各配管収容用溝は、それぞれ、他端側が途中で第１６図における上方及び下方へ枝分かれした略Ｙ字形となっている。各配管収容用溝の枝分かれした後の上端側及び下端側は、それぞれ配管引き出し用基板７１の上辺及び下辺に臨んでいる。
【０１８９】
各床暖房マット１Ｇから配管引き出し用基板７１上に引き出された各温水配管３は、この溝に沿って第１６図における上方及び下方のいずれにも引き回すことができるようになっている。即ち、この実施の形態では、該配管引き出し用基板７１は、第１６図における左右兼用のものとなっている。同一構成の２枚の配管引き出し用基板７１が、第１６図における左右の向きを逆にして左側の床暖房マット１Ｇと右側の床暖房マット１Ｇとにそれぞれ配材されている。
【０１９０】
各配管引き出し用基板７１も、各床暖房マット１Ｇの基板６０と同様に、配管収容用溝が各々の下面に露呈する厚さ、即ち温水配管３の外径と略同等の厚さとなっている。
【０１９１】
第１６図の通り、この実施の形態では、床暖房マット１Ｇの下辺に沿ってヘッダー４Ａが設置されている。なお、詳しくは、該ヘッダー４Ａは左側の床暖房マット１Ｇの右から２番目の基板６０の下辺に沿って配置されているが、ヘッダー４Ａの配置はこれに限定されない。
【０１９２】
この実施の形態では、共通のヘッダー４Ａに双方の床暖房マット１Ｇの温水配管３がそれぞれ接続されている。この実施の形態では、左側の床暖房マット１Ｇの配管引き出し用基板７１から、この左側の床暖房マット１Ｇの左辺及び下辺に沿ってヘッダー４Ａまで配管引き回し用基板７２が配材されている。また、右側の床暖房マット１Ｇの配管引き出し用基板７１からも、この右側の床暖房マット１Ｇの右辺及び下辺に沿ってヘッダー４Ａまで配管引き回し用基板７２が配材されている。
【０１９３】
各配管引き回し用基板７２には、それぞれ、一端が配管引き出し用基板７１の各配管収容用溝に連なり、他端がヘッダー４Ａの各配管接続口４ａに臨む４条の配管収容用溝（符号略）が延設されている。各配管引き回し用基板７２も、該配管収容用溝が各々の下面に露呈する厚さ、即ち温水配管３の外径と略同等の厚さとなっている。
【０１９４】
各床暖房マット１Ｇから引き出された各温水配管３は、それぞれ、各配管引き出し用基板７１及び配管引き回し用基板７２の配管収容用溝に沿ってヘッダー４Ａまで引き回され、該ヘッダー４Ａの各配管接続口４ａに接続されている。
【０１９５】
次に、このヘッダー４Ａの設置構造について詳細に説明する。
【０１９６】
ヘッダー４Ａは、この実施の形態では、第２０図（ａ），（ｂ）に示すように、対向する１対の側面にそれぞれ配管接続口４ａが設けられた略直方体形状のケーシング４ｂと、該ケーシング４ｂの下面にそれぞれ設けられた給湯管接続部４ｃ及び排湯管接続部４ｄ（第２２図）と、該ケーシング４ｂの他の１対の側面からそれぞれ該ケーシング４ｂの上面と略面一状に側方へ延出した１対の鍔部４ｅ，４ｅ等を備えている。
【０１９７】
この実施の形態では、ケーシング４ｂの該１対の側面に、それぞれ給湯用及び排湯用の各配管接続口４ａが２個ずつ、計４個の配管接続口４ａが設けられている。これらの配管接続口４ａ同士は、第２０図（ｂ）の通り、水平方向に所定の間隔をあけて配列されている。
【０１９８】
この実施の形態では、該ヘッダー４Ａは、従来の床暖房マットに合わせて各部の寸法が設定された汎用品である。従来の床暖房マットは、厚みが温水配管３の外径よりも大きなものとなっている。前述の通り、温水配管３の外径は、通常、７ｍｍ程度とされているが、従来の床暖房マットは、通常、１１ｍｍ程度とされている。汎用品のヘッダー４Ａも、ケーシング４ｂの上下方向の厚みＴＨ（第２０図（ｂ））は、通常、この従来の床暖房マットの厚みと同等の１１ｍｍ程度とされている。
【０１９９】
本発明においては、床暖房マット１Ｇの各基板６０の厚みは温水配管３と同程度であるため、この汎用品のヘッダー４Ａをそのまま床下地５１上に設置すると、このヘッダー４Ａが床暖房マット１Ｇの上面から突出してしまう。そこで、本発明においては、床下地５１上に凹所を設け、この凹所にヘッダー４Ａを設置している。
【０２００】
この実施の形態では、床下地５１にヘッダー設置用の開口５１ａが設けられ、この開口５１ａに、ヘッダー４Ａを支持するための支持部材８０が設置されている。この支持部材８０は、該開口５１ａに嵌合した上開容器状のヘッダー収容部８１と、このヘッダー収容部８１の上縁から四方へ延出しており、該開口５１ａの周囲の床下地５１の上面に重なったフランジ部８２ａ，８２ｂ，８２ｃ，８２ｄ等を有している。このヘッダー収容部８１内が前記凹所となっている。第１８図の通り、このヘッダー収容部８１の底面は、各フランジ部８２ａ〜８２ｄの下面よりも下位となっている。
【０２０１】
この実施の形態では、該ヘッダー収容部８１は、略方形の平面視形状を有している。このヘッダー収容部８１内の深さＤ１（第１８図）は、ヘッダー４Ａのケーシング４ｂの上下方向の厚みＴＨと略同等かそれよりも大きな寸法とされている。具体的には、このヘッダー収容部８１の深さＤ１は、１１〜１５ｍｍ、特に１２ｍｍ程度であることが好ましい。該ヘッダー収容部８１の底面には、ヘッダー４Ａの給湯管接続部４ｃ及び排湯管接続部４ｄがそれぞれ挿通される各接続部挿通口８３ａ，８３ｂが設けられている。
【０２０２】
各フランジ部８２ａ〜８２ｄは、それぞれ、第１８，１９図に示すように、ヘッダー収容部８１の各側面から該ヘッダー収容部８１の側外方へ向って、該ヘッダー収容部８１の上面と面一状に突設されている。この実施の形態では、各フランジ部８２ａ〜８２ｄの上下方向の厚さＴＦ（第１８図）は、床暖房マット１Ｇの基板６０と略同厚さ（好ましくは１〜７ｍｍ、特に７ｍｍ程度）となっている。
【０２０３】
対向する１対のフランジ部８２ａ，８２ｂには、それぞれ、ヘッダー収容部８１の出入り方向に延在する配管収容用溝８４が形成されている。この実施の形態では、各フランジ部８２ａ，８２ｂに、それぞれ、該ヘッダー収容部８１の出入り方向と交叉方向に間隔をおいて４条の配管収容用溝８４が設けられている。この配管収容用溝８４，８４同士の間隔は、ヘッダー４Ａの隣り合う配管接続口４ａ，４ａ同士の間隔と略同等である。
【０２０４】
各配管収容用溝８４は、一端がヘッダー収容部８１内に連通し、他端は各フランジ部８２ａ，８２ｂのヘッダー収容部８１からの突出方向の先端面に開放している。各配管収容用溝８４は、各フランジ部８２ａ，８２ｂの下面に露呈している。なお、隣り合う配管収容用溝８４，８４同士の間隔は、１３〜２５ｍｍ、特に１８ｍｍ程度であることが好ましい。
【０２０５】
各フランジ部８２ａ，８２ｂにおいて、隣り合う配管収容用溝８４，８４同士の間の部分、及び両端側の各配管収容用溝８４と該フランジ部８２ａ，８２ｂの両側縁との間の部分には、それぞれ、該フランジ部８２ａ，８２ｂを上下方向に貫通したビス挿通孔８５が設けられている。
【０２０６】
残りの対向する１対のフランジ部８２ｃ，８２ｄの上面には、それぞれ、ヘッダー４Ａの各鍔部４ｅが係合可能な、周囲よりも一段低い低段部８６が形成されている。各鍔部４ｅの上下方向の厚さは、好ましくは１〜５ｍｍ、特に１〜２ｍｍとされ、各低段部８６の深さは、該低段部８６に各鍔部４ｅが係合した状態において、各鍔部４ｅの上面が各フランジ部８２ｃ，８２ｄの上面と略面一かそれよりも低位となる寸法とされている。
【０２０７】
各フランジ部８２ｃ，８２ｄには、第１７図の通り、該低段部８６内及び該低段部８６と該フランジ部８２ｃ，８２ｄの両側縁との間の部分に、それぞれ、該フランジ部８２ｃ，８２ｄを上下方向に貫通したビス挿通孔８５が設けられている。また、ヘッダー４Ａの各鍔部４ｅにも、該鍔部４ｅが低段部８６に係合した状態において該低段部８６内のビス挿通孔８５と重なり合う位置関係にて、該鍔部４ｅを上下方向に貫通したビス挿通孔４ｆが設けられている。
【０２０８】
この支持部材８０の材質としては、床上荷重に十分に耐えうる強度を有するものであれば特に制限はないが、成形性やコストの面からＰＰ、ＡＢＳ、ＰＰＳ等の合成樹脂が好適である。例えば支持部材８０をＰＰ製とした場合、該支持部材のヘッダー収容部８１の肉厚は３ｍｍ程度とされることが好ましい。
【０２０９】
ヘッダー４Ａを設置するに当っては、予め、床下地５１のヘッダー設置予定領域に、支持部材８０のヘッダー収容部８１が嵌合しうる大きさの開口５１ａをあけておく。そして、フランジ部８２ａ，８２ｂの向きを第１６，２１図における左右方向として、ヘッダー収容部８１を該開口５１ａに上方から嵌め込み、各フランジ部８２ａ〜８２ｄを床下地５１上に重ねる。このヘッダー収容部８１の底面は各フランジ部８２ａ〜８２ｄの下面よりも低位となっているので、第２２，２３図の通り、該ヘッダー収容部８１内は床下地５１の上面よりも低い凹所となる。
【０２１０】
次に、一方の配管引き回し用基板７２上を引き回されてきた各温水配管３をヘッダー４Ａの一方の側面の各配管接続口４ａに接続すると共に、他方の配管引き回し用基板７２上を引き回されてきた各温水配管３をヘッダー４Ａの他方の側面の各配管接続口４ａに接続する。また、このヘッダー４Ａの下面の給湯管接続部４ｃ及び排湯管接続部４ｄに、それぞれ、ヘッダー収容部８１の底面の各挿通孔８３ａ，８３ｂを介してボイラからの給湯管及び排湯管（いずれも図示略）を接続する。
【０２１１】
その後、各温水配管３を双方のフランジ部８２ａ，８２ｂの各配管収容用溝８４に収容しつつ、ヘッダー４Ａのケーシング４ｂをヘッダー収容部８１内に嵌め込む。この際、該ケーシング４ｂから延出した各鍔部４ｅを支持部材８０の各フランジ部８２ｃ，８２ｄの低段部８６にそれぞれ上方から係合させる。
【０２１２】
その後、各ビス挿通孔８５，４ｆを通してビス８７を床下地５１に螺じ込み、支持部材８０及びヘッダー４Ａを床下地５１に固定する。これにより、ヘッダー４Ａの床下地５１への設置作業が完了する。
【０２１３】
なお、ヘッダー４Ａの設置手段は、これに限定されない。
【０２１４】
ヘッダー４Ａを床下地５１上に設置した後、第１６図のように、各床暖房マット１Ｇ、各配管引き出し用基板７１、各配管引き回し用基板７２及びヘッダー４Ａ（ヘッダー収容部８０）の周囲にダミー小根太６１ａ，６１ｂ及びダミー基板６２ａ，６２ｂを配材する。なお、ダミー小根太６１ａ，６１ｂ及びダミー基板６２ａ，６２ｂの施工時期はこれに限定されない。これらのダミー小根太６１ａ，６１ｂ及びダミー基板６２ａ，６２ｂの構成及び施工方法は、前述の第１３〜１５図の実施の形態と同様である。
【０２１５】
その後、これらの上に床仕上げ材（図示略）を施工することにより、暖房床が構築される。
【０２１６】
このように構成された本発明の暖房床にあっては、ヘッダー４Ａの上面が床暖房マット１Ｇの上面と略同レベルか又はそれよりも下位となっているので、該ヘッダー４Ａ上にも床暖房マット１Ｇ上と略同レベルにて床仕上げ材を施工することができる。
【０２１７】
この実施の形態では、底面が床下地５１の上面よりも低いヘッダー収容部８１を有する支持部材８０を該床下地５１に設置し、このヘッダー収容部８１内にヘッダー４Ａを設置しているので、厚さＴＨが床暖房マット１Ｇの厚さよりも大きい汎用品のヘッダー４Ａであっても、このヘッダー４Ａの上面を床暖房マット１Ｇの上面と略同レベルかそれよりも下位とすることができる。
【０２１８】
また、このように支持部材８０を介してヘッダー４Ａを設置することにより、例えば床下地５１が合板等で構成され、その表面がささくれ易いものであっても、このささくれにより生じた棘がヘッダー４Ａに刺さることが防止される。また、この支持部材８０の上面は床暖房マット１Ｇの上面と略同レベルとなっているので、床上荷重がヘッダー４Ａに加えられることが防止ないし緩和される。
【０２１９】
この実施の形態では、支持部材８０の上部から側方へ向って、該支持部材８０の上面と略面一状に、床暖房マット１Ｇの基板６０と略同厚さのフランジ部８２ａ〜８２ｄが突設されており、このフランジ部８２ａ〜８２ｄを開口５１ａの周囲の床下地５１の上面に重ねるようにして支持部材８０を該開口５１ａに設置するようにしているので、ヘッダー収容部８１を開口５１ａに嵌め込むだけで該支持部材８０の上面を床暖房マット１Ｇの上面と略同レベルとすることができ、施工が容易である。また、このフランジ部８２ａ〜８２ｄを介して支持部材８０が開口５１ａの周囲の床下地５１の上面に支持されるため、該支持部材８０に加えられる床上荷重が分散される。
【０２２０】
この実施の形態では、ヘッダー４Ａの上部から側方へ向って、該ヘッダー４Ａの上面と略面一状に鍔部４ｅ，４ｅが突設されており、この鍔部４ｅ，４ｅを支持部材８０のフランジ部８２ｃ，８２ｄ上に載荷させている。そのため、この鍔部４ｅ，４ｅを介してヘッダー４Ａが該フランジ部８２ｃ，８２ｄに支持されるため、ヘッダー４Ａに上方から加えられる荷重が分散される。
【０２２１】
この実施の形態では、場合、該フランジ部８２ｃ，８２ｄの上面にそれぞれ低段部８６が設けられ、この低段部８６に各鍔部４ｅを係合させているので、この鍔部４ｅ，４ｅが支持部材８０の上面から突出しない。
【０２２２】
なお、図示は省略するが、本発明では、このヘッダー収容部８１を覆う蓋を設けてもよい。この蓋は、その上面が床暖房マット１Ｇの上面と略同レベルとなるように設置される。これにより、該ヘッダー収容部８１の直上からの床上荷重がヘッダー４Ａに加えられることを防止ないし緩和することができる。
【０２２３】
［熱媒体供給部材及びその支持部材の別の構成例］
第２４図は熱媒体供給部材の支持部材の別の構成例を示す平面図、第２５図は第２４図のXXV−XXV線に沿う断面図、第２６図は第２４図のXXVI−XXVI線に沿う断面図、第２７図はこの支持部材を用いて構築された暖房床の断面図である。
【０２２４】
この実施の形態では、第２７図の通り、熱媒体供給部材として、下方及び水平二方向の三方にそれぞれ配管接続口９０ａを有するＴ字形の継手９０が用いられている。
【０２２５】
この実施の形態でも、該継手９０は、従来の床暖房マットに合わせて各部の寸法が設定された汎用品であり、その上下方向の厚みは、本発明の床暖房マットの厚みよりも大きなものとなっている。
【０２２６】
この実施の形態の支持部材８０Ａは、床下地５１に設けられた開口５１ａに嵌合する上開容器状の継手収容部８１Ａと、この継手収容部８１Ａの上縁から互いに反対方向へ延出しており、該開口５１ａの周囲の床下地５１の上面に重なるフランジ部８２ａ，８２ｂと、各フランジ部８２ａ，８２ｂにそれぞれ設けられた、該継手収容部８１Ａ内に連通する複数（この実施の形態でも各フランジ部８２ａ，８２ｂに４条）の配管収容用溝８４等を有している。この継手収容部８１Ａ内の底面は、各フランジ部８２ａ，８２ｂの下面よりも下位となっている。即ち、この実施の形態でも、該継手収容部８１Ａは、該底面が床下地５１の上面よりも低い凹所となっている。
【０２２７】
この実施の形態では、第２４図の通り、該継手収容部８１Ａ内は、各フランジ部８２ａ，８２ｂの対向する配管収容用溝８４ごとに、仕切り壁８８により複数（この実施の形態では４室）の小室８９に区画されている。これらの小室８９内にそれぞれ継手９０が収容されている。各小室８９の底面には、それぞれ、継手９０の下側の配管接続口９０ａを挿通するための挿通口８３ｃが設けられている。
【０２２８】
この実施の形態では、第２７図に示すように、一方の配管引き回し用基板７２上を引き回されてきた各温水配管３を、それぞれ各継手９０の水平方向の一方の配管接続口９０ａに接続すると共に、他方の配管引き回し用基板７２上を引き回されてきた各温水配管３を、それぞれ各継手９０の水平方向の他方の配管接続口９０ａに接続する。また、各小室８９の底面の挿通口８３ｃを介して各継手９０の下側の配管接続口９０ａにボイラからの給湯管又は排湯管（いずれも図示略）を接続する。そして、各小室８９に連通する一方の配管収容用溝８４内に該一方の温水配管３を配材すると共に、他方の配管収容用溝８４内に該他方の温水配管３を配材しつつ、各継手９０を各小室８９内に収容する。
【０２２９】
この支持部材８０Ａのその他の構成及びこの支持部材８０Ａを用いて構築される暖房床のその他の構成並びに施工手順は、前述の第１６〜２３図の実施の形態と同様であり、第２４〜２７図において第１６〜２３図と同一符号は同一部分を示している。
【０２３０】
この実施の形態にあっても、底面が床下地５１の上面よりも低い継手収容部８１Ａを有する支持部材８０Ａを該床下地５１に設置し、この継手収容部８１Ａ内に継手９０を設置しているので、本発明の床暖房マットよりも厚さが大きい汎用品の継手９０であっても、この継手９０の上面を本発明の床暖房マットの上面と略同レベルかそれよりも下位とすることができる。
【０２３１】
なお、この実施の形態では、支持部材８０Ａは、４個の継手９０を収容する構造となっているが、３個以下又は５個以上の継手９０を収容する構造であってもよい。この場合、継手９０の個数に合わせて小室８９及び溝８４の個数を変更する。
【０２３２】
［熱媒体供給部材及びその支持部材のさらに別の構成例］
上記実施の形態では、熱媒体供給部材として、下方及び水平二方向の三方にそれぞれ配管接続口９０ａを有するＴ字形の継手９０が用いられているが、本発明では、第２８，２９図のように、下方及び水平一方向の二方向にのみ配管接続口９０ａを有するＬ字形の継手９０Ａが用いられてもよい。
【０２３３】
第２８図はこのＬ字形の継手９０Ａを支持するための支持部材の平面図であり、第２９図はこの支持部材を用いて構築された暖房床の断面図である。
【０２３４】
この継手９０Ａも、従来の床暖房マットに合わせて各部の寸法が設定された汎用品であり、その上下方向の厚みは、本発明の床暖房マットの厚みよりも大きなものとなっている。
【０２３５】
この実施の形態における支持部材８０Ｂは、床下地５１に設けられた開口５１ａに嵌合する上開容器状の継手収容部８１Ｂと、この継手収容部８１Ｂの上縁から互いに反対方向へ延出しており、該開口５１ａの周囲の床下地５１の上面に重なるフランジ部８２ａ，８２ｂ’と、一方のフランジ部８２ａに設けられた、該継手収容部８１Ｂ内に連通する複数の配管収容用溝８４等を有している。該継手収容部８１Ｂ内の底面は、各フランジ部８２ａ，８２ｂ’の下面よりも下位となっている。この実施の形態では、他方のフランジ部８２ｂ’には、配管収容用溝８４は設けられていない。
【０２３６】
即ち、この支持部材８０Ｂは、前述の第２４〜２７図の支持部材８０Ａにおいて、フランジ部８２ｂの配管収容用溝８４を省略した如き構成となっている。
【０２３７】
この実施の形態でも、該支持部材８０Ｂは４個の継手９０Ａを収容するものであり、継手収容部８１Ｂ内は、仕切り壁８８により４個の小室８９に区画されている。また、フランジ部８２ａには、これらの小室８９にそれぞれ連通する４条の配管収容用溝８４が設けられている。各小室８９の底面には、それぞれ継手９０の下側の配管接続口９０ａを挿通するための挿通口８３ｃが設けられている。
【０２３８】
なお、支持部材８０Ｂに収容される継手９０Ａの個数はこれに限定されない。
【０２３９】
この支持部材８０Ｂのその他の構成は第２４〜２７図の支持部材８０Ａと同様であり、第２８，２９図において第２４〜２７図と同一符号は同一部分を示している。
【０２４０】
この支持部材８０Ｂを用いて暖房床を構築する場合、上記の各実施の形態の支持部材８０，８０Ａと同様の手順で床暖房マット及びこの支持部材８０Ｂを床下地５１上に設置した後、該床暖房マットから引き出された４本の温水配管３にそれぞれ継手９０Ａの水平方向の配管接続口９０ａを接続すると共に、各小室８９の底面の挿通口８３ｃを介して各継手９０Ａの下側の配管接続口９０ａにボイラからの給湯管又は排湯管（いずれも図示略）を接続する。そして、各温水配管３を各配管収容用溝８４内に配材しつつ各継手９０Ａを各小室８９内に収容する。
【０２４１】
この実施の形態にあっても、底面が床下地５１の上面よりも低い継手収容部８１Ｂを有する支持部材８０Ｂを該床下地５１に設置し、この継手収容部８１Ｂ内に継手９０Ａを設置しているので、本発明の床暖房マットよりも厚さが大きい汎用品の継手９０Ａであっても、この継手９０Ａの上面を本発明の床暖房マットの上面と略同レベルかそれよりも下位とすることができる。
【０２４２】
［材質等］
上記各部材の材質の一例として次のものが挙げられるが、これらに限定されるものではない。
【０２４３】
基板としては例えば発泡ポリプロピレン、発泡ポリスチレン、発泡ポリエチレン、発泡ポリウレタン等の発泡合成樹脂のほか木材等を用いることができる。発泡合成樹脂としては、断熱性の点から、内部の気泡が独立気泡となっているものが好ましい。
【０２４４】
本発明においては、裏張りシートは、低熱伝導材よりなることが好ましい。この低熱伝導材としては、不織布や合成樹脂シートあるいは紙等を用いることができる。
【０２４５】
小根太及び小小根太としては、木材や、釘打ち可能な合成木材又は合成樹脂あるいは合成樹脂発泡体等が好ましい。
【０２４６】
上記の各実施の形態における小根太２０のように、小根太本体２０ａの上下両面に補強板２０ｂ，２０ｂを貼り付ける場合には、該小根太本体２０ａとしては、例えば合板等を用いることができ、補強板２０ｂとしては、金属板又は金属箔や、樹脂板、あるいは金属と樹脂との複合材料よりなる板材等を用いることがきる。なお、この場合、該補強板２０ｂの厚さは、該補強板２０ｂに釘が入る程度のものとする。小小根太２２についても同様である。
【０２４７】
ただし、小根太及び小小根太の構成はこれに限定されない。例えば、本発明においては、小根太本体及び小小根太本体が十分な強度を有していれば、補強板は省略されてもよい。
【０２４８】
均熱シート及び均熱板としては、アルミ又は銅等の金属箔が好ましい。
【０２４９】
均熱シートの表面にポリエチレンテレフタレート等のフィルムをラミネートすることにより、温調マットの梱包時や運搬時等に均熱シートの破損を防止することができる。なお、このフィルムの材質はポリエチレンテレフタレート以外であってもよい。
【０２５０】
温水配管としては、可撓性のポリエチレン等の合成樹脂チューブや銅パイプが例示される。
【０２５１】
［その他の構成］
上記の実施の形態は、いずれも本発明の一例を示すものであり、本発明は図示の構成に限定されない。
【０２５２】
本発明の温調マットを構成する基板の枚数に特に制限はなく、４枚及び１０枚以外の枚数の基板を用いて温調マットを構成してもよい。
【０２５３】
本発明においては、配管収容用の溝の内側にも、この溝の底部を塞ぐように低熱伝導材が設けられてもよい。また、均熱板が設けられる場合には、この均熱板の外面に低熱伝導材が貼り付けられてもよい。このように構成することにより、基板の下面側への放熱が一層抑制される。
【０２５４】
上記の各実施の形態の床暖房マット１，１Ａ，１Ｃ〜１Ｇは、それぞれ、基板同士の間に小根太２０が配設された構成となっているが、本発明の温調マットの構成はこれに限定されるものではない。例えば、本発明においては、小根太２０は省略されてもよい。
【０２５５】
小根太２０を省略する場合には、各基板自体の強度を高くする。例えば、各基板を発泡合成樹脂製とした場合には、この発泡合成樹脂の発泡倍率を適宜調節することにより、各基板の強度を高めることができる。これ以外の方法、例えば、各基板に補強材を設けることにより、各基板の強度を高めるように構成してもよい。
【０２５６】
なお、小根太２０を設けた場合には、基板自体の強度は比較的低くても足りるため、床暖房マット１，１Ａ，１Ｃ〜１Ｇの構成コストを比較的低く抑えることができる。
【０２５７】
上記の実施の形態は、暖房床に関するものであるが、本発明の温調床は、温水ではなく、冷水を配管に通水して冷房するようにしてもよい。水以外のオイル、不凍液等の熱媒体を流通させてもよい。
【図面の簡単な説明】
【０２５８】
【図１】第１の実施の形態に係る温調床に用いられる温調マットとしての床暖房マット１の平面図である。
【図２】図１のII−II線に沿う断面図である。
【図３】図１の床暖房マット１の分解断面図である。
【図４】第２の実施の形態に係る温調床に用いられる温調マットとしての床暖房マット１Ａの断面図である。
【図５】図４の床暖房マット１Ａの分解断面図である。
【図６】第３の実施の形態に係る温調床に用いられる温調マットとしての床暖房マット１Ｂの折り畳み手順を示す側面図である。
【図７】図６のVII部分の平面図である。
【図８】第４の実施の形態に係る温調床に用いられる温調マットとしての床暖房マット１Ｃの小根太付近の断面図である。
【図９】第５の実施の形態に係る温調床に用いられる温調マットとしての床暖房マット１Ｄの小根太付近の断面図である。
【図１０】第６の実施の形態に係る温調床に用いられる温調マットとしての床暖房マット１Ｅの断面図である。
【図１１】図１０の床暖房マット１Ｅの配管収容用溝付近の断面図である。
【図１２】貫通防止層の別の構成例を示す、図１１と同様部分の拡大断面図である。
【図１３】実施の形態に係る温調床に用いられる温調マットとしての床暖房マット１Ｆの施工構造の一例を示す平面図である。
【図１４】図１３のXIV部分の拡大図である。
【図１５】図１３のXV−XV線に沿う断面図である。
【図１６】実施の形態に係る温調床としての暖房床の平面図である。
【図１７】図１６の暖房床に用いられるヘッダー支持部材の平面図である。
【図１８】図１７のXVIII−XVIII線に沿う断面図である。
【図１９】図１７のXIX−XIX線に沿う断面図である。
【図２０】（ａ）図はヘッダーの平面図、（ｂ）図は（ａ）図のＢ−Ｂ線矢視図である。
【図２１】暖房床のヘッダー付近の拡大平面図である。
【図２２】図２１のXXII−XXII線に沿う断面図である。
【図２３】図２１のXXIII−XXIII線に沿う断面図である。
【図２４】熱媒体供給部材の支持部材の別の構成例を示す平面図である。
【図２５】図２４のXXV−XXV線に沿う断面図である。
【図２６】図２４のXXVI−XXVI線に沿う断面図である。
【図２７】図２４の支持部材を用いて構築された暖房床の断面図である。
【図２８】熱媒体供給部材の支持部材の別の構成例を示す平面図である。
【図２９】図２８の支持部材を用いて構築された暖房床の断面図である。
【図３０】従来例に係る温調マットの断面図である。
【図３１】従来例に係る温調マットの断面分解図及び断面図である。
【符号の説明】
【０２５９】
１，１Ａ〜１Ｇ  床暖房マット
２，２’  溝
３  温水配管
４，４Ａ  ヘッダー
５  均熱シート
６  均熱板
６ａ  Ｕ字部
６ｂ  フランジ部
７  裏張りシート
１０〜１９，Ａ〜Ｄ  基板
２０  小根太
２０ａ  小根太本体
２０ｂ  補強板
３０，３１，３２  折り線部
５０  貫通防止層
５３  ワックス吸収層
６０  基板
６１ａ，６１ｂ  ダミー小根太
６２ａ，６２ｂ  ダミー基板
８０，８０Ａ，８０Ｂ  支持部材
８１  ヘッダー収容部
８１Ａ，８１Ｂ  継手収容部
８２ａ〜８２ｄ  フランジ部
８４  配管収容用溝
９０，９０Ａ  継手
【図１】
0005320777.tif 000002
【図２】
0005320777.tif 000003
【図３】
0005320777.tif 000004
【図４】
0005320777.tif 000005
【図５】
0005320777.tif 000006
【図６】
0005320777.tif 000007
【図７】
0005320777.tif 000008
【図８】
0005320777.tif 000009
【図９】
0005320777.tif 000010
【図１０】
0005320777.tif 000011
【図１１】
0005320777.tif 000012
【図１２】
0005320777.tif 000013
【図１３】
0005320777.tif 000014
【図１４】
0005320777.tif 000015
【図１５】
0005320777.tif 000016
【図１６】
0005320777.tif 000017
【図１７】
0005320777.tif 000018
【図１８】
0005320777.tif 000019
【図１９】
0005320777.tif 000020
【図２０】
0005320777.tif 000021
【図２１】
0005320777.tif 000022
【図２２】
0005320777.tif 000023
【図２３】
0005320777.tif 000024
【図２４】
0005320777.tif 000025
【図２５】
0005320777.tif 000026
【図２６】
0005320777.tif 000027
【図２７】
0005320777.tif 000028
【図２８】
0005320777.tif 000029
【図２９】
0005320777.tif 000030
【図３０】
0005320777.tif 000031
【図３１】
0005320777.tif 000032